(57)【要約】      （修正有）【課題】  給水設備（給水管等）の、寒気による上水の氷温化による凍結防止、および、排水設備（排水管等）の、土壌及び地下水がアイスレンズ現象をおこして地面を隆起させる凍上被害を防止する。【解決手段】微粉末状又は粉末状の高分子吸収体をコーティング又は薄く敷き並べてシート状にしたものに不凍液を吸収させた凍上防止用シート。【選択図】  図１
2005351061.tif 000002
【特許請求の範囲】
【請求項１】
道路、敷地及び建物内等に敷設される給水設備（給水管等。等には主に給水バルブ、連結部材、エルボ、曲管が入る。）及び排水設備（排水管等。等には主にマンホール、雨水枡、汚水枡、浸透枡及び接合部材が入る。）の周囲に対し、凍結及び凍上防止用の保護処理をするために巻き付けたり被せたりするもので、微粉末状又は粉末状の高分子吸収体をコーテイング又は薄く敷き並べてシート状にしたもの（綿状パルプ又は繊維シートに高分子吸収体を含有させてシート状としたもの。以下「高分子吸収体のシート状のもの」という。）に不凍液を吸収させ、それらを内包させた凍結及び凍上防止用シート（テープを含み、完全防水シートを用いたタイプと通気シートを用いたタイプの２種類をいう。後者は、液体が通らず気体だけが通るもので、ポリエチレンなどのビニル系シート等とする。等はポリエステルなどの接合系シートを指す。以下同じとする。）。
【請求項２】
請求項１記載の凍結及び凍上防止用シートの基本的考え方である、高分子吸収体のシート状のものに不凍液を吸収させて、凍結及び凍上の防止を図るという応用及び組合わせ技術を用いた凍結及び凍上防止用シート。
【請求項３】
請求項１記載の凍結及び凍上防止用シートを、道路内、敷地内及び建物内等の既設給排水設備（給排水管等。なお給排水設備とは上記給水設備及び排水設備のことである。）及び新規に敷設予定のある給排水設備（給排水管等）に応用する凍結及び凍上防止用シート。
【発明の詳細な説明】
【技術分野】
【０００１】  本発明は、寒冷地の給排水設備（給排水管等）の凍結及び凍上防止を図るために、粉末状又は微粉末状の高分子吸収体のシート状のものに不凍液を吸収させ、それらを内包して一体とした凍結及び凍上防止用シートに関する。
【背景技術】
【０００２】  従来の凍結及び凍上防止において、高分子吸収体と不凍液を併せて用いたものはない。【０００３】  従来の高分子吸収体を利用したものには、それを内包した通気シートとして乳幼児及び老齢者の排尿対策を目的としたものがある。また、砂漠の緑化事業において保水材として高分子吸収体を利用しているものがある。【０００４】  一方、従来の不凍液には、自動車のラジエター用及び家庭の暖房器具用の凍結防止剤として使用しているものがある。
【発明の開示】
【発明が解決しようとする課題】
【０００５】  従来の寒冷地における建物内の給水設備（給水管等）については、外気の低下による氷温化のために、給水管自体の上水が凍結していただけでなく、給水管自体の結露及び湿気等によって、グラスウールの保温材の機能をも著しく低下させている。【０００６】  また、寒冷地における道路内の排水設備（排水管等）については、道路路面及びその付近土壌の変形（地震対策用）に対応するために目地を設けた組立式のものが敷設されているが、道路路面及びその付近土壌のアイスレンズ現象による凍結及び凍上には、全く対応できていない。【０００７】  すなわち、道路路面及びその付近土壌の凍上とともに、排水設備（排水管等）もアイスレンズ現象で一体となって凍上するために、組立式のものでは、目安として地下凍結線範囲内において排水設備（排水管等）部分と凍上の影響を受けないそれ以外の部分の間にある目地の隙間が大きくなり過ぎて、付近土壌及び地下水の浸入を招くこととなる。【０００８】  これによって、冬季の凍結及び凍上がいっそう悪化し、組立式の排水設備（排水管等）の利便である変形への対応機能が損なわれるという悪循環を招き、結果として当該排水設備（排水管等）の損壊、凍害及び再施工を招くこととなる。【０００９】  本発明は、このような従来の給排水設備（給排水管等）が有していた問題を解決しようとするものであり、本発明によって寒冷地の冬季における給排水設備（給排水管等）と、その付近土壌及び地下水の分離又は遮断を図ることで、アイスレンズ現象による凍結及び凍上から給排水設備（給排水管等）の凍害を防止することを目的としている。
【課題を解決するための手段】
【００１０】  本発明は、上記目的を達成するために、給水設備（給水管等）にあっては、微粉末状又は粉末状の高分子吸収体のシート状のものに不凍液を吸収させ、それらを内包した凍結及び凍上防止用シート（給水管等の場合はテープが主となる。）を給水設備（給水管等）に巻き付けることによって、上水の凍結破損を防止するとともに、給水設備（給水管等）自体の結露から保温材を守ることで保温材の機能維持をも図るものである。【００１１】  また、排水設備（排水管等）にあっては、上記と同じように微粉末又は粉末状の高分子吸収体のシート状のものに不凍液を吸収させ、それらを内包した凍結及び凍上防止用シートによって、排水設備（排水管等）を地下凍結線の下部まで巻き付けたり被せたりするようにして覆うことで、それらとその付近土壌及び地下水とが一体とならないように分離又は遮断して、その付近土壌及び地下水だけがアイスレンズ現象によって凍上するような緩衝材としての効果を図るものである。【００１２】  これらの課題解決手段による作用は次の通りである。すなわち、本発明による凍結及び凍上防止用シートに内包される不凍液を含有した高分子吸収体のシート状のものが、給水設備（給水管等）にあっては、上水の氷温化を防止することでそれ自体の凍結を防止することとなり、また給水管と保温材の緩衝材として結露から保温材を保護することで保温材の機能維持が図られる。【００１３】  また、排水設備（排水管等）にあっては、上記シートに内包された不凍液を含有した高分子吸収体のシート状のものによって、排水設備（排水管等）とその付近土壌及び地下水とを温度的にも物理的にも分離又は遮断することとなり、その結果として、従来排水設備（排水管等）の表面とその付近土壌及び地下水を一体的に凍結及び凍上させていたアイスレンズ現象の影響を受けなくさせることができる。【００１４】  さらに、万一排水設備（排水管等）が凍上しても、物理的にその付近土壌及び地下水と分離又は遮断されているために、変形し開いた排水設備（排水管等）の目地隙間へのその付近土壌及び地下水の浸入を防ぐことができるとともに、解凍時期には浮き上がった排水設備（排水管等）が元の位置に戻り易くなるため、結果として二次的な凍結及び凍上被害を防ぐことができる。
【発明の効果】
【００１５】  上述したように、本発明の凍結及び凍上防止用シートは、道路内、敷地内及び建物内の給排水設備（給排水管等）の凍結及び凍上によって損壊及び変形によるその機能不全を防止するとともに、当該設備の延命が図られることで、工事及び維持管理等の面でも経済的な効果が得られる。
【発明の実施するための最良の形態】
【００１６】  以下、本発明の実施の形態を図１〜図３に基づいて説明する。
【００１７】  図において、１は凍結及び凍上防止用シートである。袋体２はナイロン又はビニルシートで構成される完全防水シートタイプのものと、ポリエチレンなどのビニル系シート又接合系シートで構成される通気シート対応のものがある。後者は、気体は通過させるが液体は通過させない目の大きさの形状とする。１００ミクロン程度が液体の大きさであることから、給排水設備（給排水管等）に接する面は０．５ミクロン以下の目の大きさを目安とした液体を通さないものとする。
【００１８】  また、上記シート１の袋体２に、不凍液４を含有させた高分子吸収体のシート状のもの３を内包させる。
【００１９】  上記シート１においてテープ状のものは、給水設備（給水管等）にあっては、建物内外での給水管等に巻き付けることができるように、幅１センチメートルから５センチメートルのものとし、排水設備（排水管等）にあっては、排水管等に巻き付けることができるように、１０センチメートルから３０センチメートルのものとする。
【００２０】  また、上記シート１において、シート状のものは主に排水設備（排水管等）に使用するものとし、排水管等に巻き付けるための平板状のもの１ａと円筒状のもの１ｂとする。それらの幅は５０センチメートルから２メートルとするが、排水設備（排水管等）には多種の製品があるため、それらの製品及び用途に合わせた上記シート１の形状をも含む。
【００２１】  また、図３の排水マンホールの場合において、５はマンホールの蓋で、６は道路路面である。普通のマンホールは深さが２メートル以上もあるため、地震対策などからの保護目的で７の変形防止用の目地を設けた組立式とする場合が多い。
【００２２】  ところが、冬季になると９の地下凍結線内では、マンホール壁８とその付近土壌及び地下水とが一体となって凍るというアイスレンズ現象によって凍上することから、９の地下凍結線の下部辺りまでの深さに合わせてマンホール壁８に上記シート１を巻き付けたり被せたりして、その付近土壌及び地下水と９の地下凍結線の内にあるマンホール壁９とを分離又は遮断することで、それらが一体となるアイスレンズ現象による凍結及び凍上を防止するものである。
【図面の簡単な説明】
【００２３】
【図１】本発明の実施形態を示す凍結及び凍上防止用シートの俯瞰図
【図２】図１におけるＡーＡ線断面図
【図３】本発明の実施形態を示す断面図（排水マンホールの場合）
【符号の説明】
【００２４】１ａ    凍結及び凍上防止用シート（平板状のもの）
１ｂ    凍結及び凍上防止用シート（円筒状のもの）
２      袋体
３      高分子吸収体のシート状のもの
４      不凍液
５      マンホール蓋
６      道路路面
７      目地
８      マンホール壁
９      地下凍結線
【図１】
2005351061.tif 000003
【図２】
2005351061.tif 000004
【図３】
2005351061.tif 000005